(57)【要約】【課題】縫合糸がもつれないように、１つ以上の有棘縫合糸を保持するように構成された縫合糸パッケージを提供すること。【解決手段】縫合糸パッケージであって、外側壁と内側壁とを含む縫合糸保持部材であって、該内側壁は、該外側壁から放射状に間隔を置かれ、そして、該内側壁と該外側壁との間に縫合糸保持範囲を画定し、該内側壁は、針保持範囲を画定し、そして、該内側壁の中に少なくとも１つの開口部を含み、該開口部を通る少なくとも１つの縫合糸の受け取りを可能にし、該外側壁は、内側に延びる複数のタブを含み、該内側に延びる複数のタブは、カバーを係合するように構成されている、縫合糸保持部材と、カバーであって、該カバーは、該縫合糸保持部材の該外側壁の中に受け入れられるように構成され、かつ、該外側壁に形成された該内側に延びるタブを選択的に係合するように構成されている、カバーとを備えている、縫合糸パッケージ。【選択図】図１Ａ
2010082463.tif 000002
【特許請求の範囲】
【請求項１】
縫合糸パッケージであって、
外側壁と内側壁とを含む縫合糸保持部材であって、該内側壁は、該外側壁から放射状に間隔を置かれ、そして、該内側壁と該外側壁との間に縫合糸保持範囲を画定し、該内側壁は、針保持範囲を画定し、そして、該内側壁の中に少なくとも１つの開口部を含み、該開口部を通る少なくとも１つの縫合糸の受け取りを可能にし、該外側壁は、内側に延びる複数のタブを含み、該内側に延びる複数のタブは、カバーを係合するように構成されている、縫合糸保持部材と、
カバーであって、該カバーは、該縫合糸保持部材の該外側壁の中に受け入れられるように構成され、かつ、該外側壁に形成された該内側に延びるタブを選択的に係合するように構成されている、カバーと
を備えている、縫合糸パッケージ。
【請求項２】
前記縫合糸保持部材は、硬い、請求項１に記載の縫合糸パッケージ。
【請求項３】
前記縫合糸保持部材は、ポリマーを含む、請求項２に記載の縫合糸パッケージ。
【請求項４】
前記カバーは、紙を含む、請求項１に記載の縫合糸パッケージ。
【請求項５】
前記針保持範囲は、少なくとも１つの針置き場を含む、請求項１に記載の縫合糸パッケージ。
【請求項６】
前記針保持範囲は、少なくとも３つの針置き場を含む、請求項１に記載の縫合糸パッケージ。
【請求項７】
前記針保持範囲は、針を受け入れるように構成された発泡部材を含む、請求項１に記載の縫合糸パッケージ。
【請求項８】
前記カバーはさらに、タブを含み得、該タブは、臨床医による係合が可能であるように構成されている、請求項１に記載の縫合糸パッケージ。
【請求項９】
前記縫合糸保持部材の前記外側壁は、窪んだ部分を含み、該窪んだ部分は、前記カバーに形成された前記タブを受け入れるように構成されている、請求項８に記載の縫合糸パッケージ。
【請求項１０】
臨床医による係合が可能であるように構成されたカットアウトを含む、請求項１に記載の縫合糸パッケージ。
【請求項１１】
前記カバーはさらに、前記縫合糸保持範囲の少なくとも一部分を見るために構成されカットアウトを含む、請求項１に記載の縫合糸パッケージ。
【請求項１２】
前記内側壁は、複数の突起から形成されている、請求項１に記載の縫合糸パッケージ。
【請求項１３】
前記突起のうちの少なくとも１つは、それを回る縫合糸の端を受け入れるために内側に湾曲されている、請求項１２に記載の縫合糸パッケージ。
【請求項１４】
前記突起のうちの少なくとも１つは、スロットを含み得、該スロットは、そこを通る縫合糸の端をしっかりと受け入れるように構成されている、請求項１２に記載の縫合糸パッケージ。
【請求項１５】
前記スロットは、縫合糸の端に形成されたエンドエフェクタをしっかりと受け入れるように構成されている、請求項１４に記載の縫合糸パッケージ。
【請求項１６】
前記縫合糸保持部材は、縫合糸装填装置を係合するように構成されている、請求項１に記載の縫合糸パッケージ。
【請求項１７】
前記縫合糸保持部材は、縫合糸装填装置の据え付けピンを受け入れるように構成された開口部を含む、請求項１に記載の縫合糸パッケージ。
【請求項１８】
前記カバーは、縫合糸装填装置の据え付けピンを係合するための開口部を含む、請求項１に記載の縫合糸パッケージ。
【発明の詳細な説明】
【技術分野】
【０００１】
（関連出願の引用）
本出願は、２００８年１０月２日出願の米国仮特許出願第６１／１０２，０６６号の利益と優先権とを主張し、該仮特許出願の全内容が、本明細書において参考として援用される。
【０００２】
（技術分野）
本開示は、縫合糸のためのパッケージングに関する。さらに詳細には、本開示は、有棘縫合糸を受け入れるための縫合糸パッケージに関する。
【背景技術】
【０００３】
縫合糸および縫合糸を保持するためのパッケージが、当該分野において公知である。縫合糸パッケージは、折り畳み可能なタイプのものであり、紙から構築され、そして、その中に１つ以上の縫合糸を受け入れるためのポケットを形成するように構成され得る。あるいは、縫合糸パッケージは、成形された種類のものであり得る。かかるパッケージは、一般的には、その中に１つ以上の縫合糸を受け入れるためのチャネルを画定している。
【０００４】
有棘縫合糸をパッケージングすることは、縫合糸の構成によって複雑にされる。有棘縫合糸の長さに沿って形成される棘は、縫合糸が、縫合糸自身または他の有棘縫合糸ともつれる可能性を増加させ得る。縫合糸を解いている間に、過剰な力が、棘に加えられると、損傷が、縫合糸の棘に生じ、それにより、縫合糸の有効性を減少させ得る。
【発明の概要】
【発明が解決しようとする課題】
【０００５】
したがって、縫合糸がもつれないように、１つ以上の有棘縫合糸を保持するように構成された縫合糸パッケージを有することが、有益である。縫合糸パッケージが、棘が平坦にされるか、または損傷されることを防ぐように構成されている場合には、さらに有益である。
【課題を解決するための手段】
【０００６】
したがって、有棘縫合糸を保持するための縫合糸パッケージが、提供される。縫合糸パッケージは、外側壁と内側壁とを含む縫合糸保持部材を含む。内側壁は、外側壁から放射状に間隔を置かれ、そして、外側壁と内側壁との間に縫合糸保持範囲を画定している。内側壁は、針保持範囲を画定し、そして、内側壁の中に少なくとも１つの開口部を含み、開口部を通る少なくとも１つの縫合糸の受け取りを可能にする。外側壁は、内側に延びる複数のタブを含み、該内側に延びる複数のタブは、カバーを係合するように構成されている。縫合糸パッケージはさらに、カバーを含む、該カバーは、縫合糸保持部材の外側壁の中に受け入れられるように構成され、かつ、外側壁に形成された内側に延びるタブを選択的に係合するように構成されている。
【０００７】
一実施形態において、縫合糸保持部材は、硬いことがあり得る。縫合糸保持部材は、ポリマーを含み得る。カバーは、紙を含み得る。針保持範囲は、少なくとも１つの針置き場を含み得る。針保持範囲は、３つの針置き場を含み得る。針保持範囲は、針を受け入れるように構成された発泡部材を含み得る。
【０００８】
別の実施形態において、カバーはさらに、タブを含み得、該タブは、臨床医による係合を可能にするように構成されている。縫合糸保持部材の外側壁は、窪んだ部分を含み得、該窪んだ部分は、カバーに形成されたタブを受け入れるように構成されている。カバーは、カットアウトを含み得、該カットアウトは、臨床医による係合を可能にするように構成されている。カットアウトはまた、縫合糸保持範囲の少なくとも一部分を見るために構成され得る。内側壁は、複数の突起から形成され得る。突起のうちの少なくとも１つは、それを回る縫合糸の端を受け入れるために内側に湾曲され得る。突起のうちの少なくとも１つは、スロットを含み得、該スロットは、そこを通る縫合糸の端をしっかりと受け入れるように構成されている。スロットは、縫合糸の端に形成されたエンドエフェクタをしっかりと受け入れるように構成され得る。縫合糸保持部材は、縫合糸装填装置を係合するように構成され得る。縫合糸保持部材は、縫合糸装填装置の据え付けピンを受け入れるように構成された開口部を含み得る。カバーは、縫合糸装填装置の据え付けピンを係合するための開口部を含み得る。
【０００９】
したがって、本発明は、以下を提供する。
（項目１）  
縫合糸パッケージであって、
外側壁と内側壁とを含む縫合糸保持部材であって、該内側壁は、該外側壁から放射状に間隔を置かれ、そして、該内側壁と該外側壁との間に縫合糸保持範囲を画定し、該内側壁は、針保持範囲を画定し、そして、該内側壁の中に少なくとも１つの開口部を含み、該開口部を通る少なくとも１つの縫合糸の受け取りを可能にし、該外側壁は、内側に延びる複数のタブを含み、該内側に延びる複数のタブは、カバーを係合するように構成されている、縫合糸保持部材と、
カバーであって、該カバーは、該縫合糸保持部材の該外側壁の中に受け入れられるように構成され、かつ、該外側壁に形成された該内側に延びるタブを選択的に係合するように構成されている、カバーと
を備えている、縫合糸パッケージ。
（項目２）  
上記縫合糸保持部材は、硬い、上記項目のうちのいずれか１項に記載の縫合糸パッケージ。
（項目３）  
上記縫合糸保持部材は、ポリマーを含む、上記項目のうちのいずれか１項に記載の縫合糸パッケージ。
（項目４）  
上記カバーは、紙を含む、上記項目のうちのいずれか１項に記載の縫合糸パッケージ。
（項目５）  
上記針保持範囲は、少なくとも１つの針置き場を含む、上記項目のうちのいずれか１項に記載の縫合糸パッケージ。
（項目６）  
上記針保持範囲は、少なくとも３つの針置き場を含む、上記項目のうちのいずれか１項に記載の縫合糸パッケージ。
（項目７）  
上記針保持範囲は、針を受け入れるように構成された発泡部材を含む、上記項目のうちのいずれか１項に記載の縫合糸パッケージ。
（項目８）  
上記カバーはさらに、タブを含み得、該タブは、臨床医による係合が可能であるように構成されている、上記項目のうちのいずれか１項に記載の縫合糸パッケージ。
（項目９）  
上記縫合糸保持部材の上記外側壁は、窪んだ部分を含み、該窪んだ部分は、上記カバーに形成された上記タブを受け入れるように構成されている、上記項目のうちのいずれか１項に記載の縫合糸パッケージ。
（項目１０）  
臨床医による係合が可能であるように構成されたカットアウトを含む、上記項目のうちのいずれか１項に記載の縫合糸パッケージ。
（項目１１）  
上記カバーはさらに、上記縫合糸保持範囲の少なくとも一部分を見るために構成されカットアウトを含む、上記項目のうちのいずれか１項に記載の縫合糸パッケージ。
（項目１２）  
上記内側壁は、複数の突起から形成されている、上記項目のうちのいずれか１項に記載の縫合糸パッケージ。
（項目１３）  
上記突起のうちの少なくとも１つは、それを回る縫合糸の端を受け入れるために内側に湾曲されている、上記項目のうちのいずれか１項に記載の縫合糸パッケージ。
（項目１４）  
上記突起のうちの少なくとも１つは、スロットを含み得、該スロットは、そこを通る縫合糸の端をしっかりと受け入れるように構成されている、上記項目のうちのいずれか１項に記載の縫合糸パッケージ。
（項目１５）  
上記スロットは、縫合糸の端に形成されたエンドエフェクタをしっかりと受け入れるように構成されている、上記項目のうちのいずれか１項に記載の縫合糸パッケージ。
（項目１６）  
上記縫合糸保持部材は、縫合糸装填装置を係合するように構成されている、上記項目のうちのいずれか１項に記載の縫合糸パッケージ。
（項目１７）  
上記縫合糸保持部材は、縫合糸装填装置の据え付けピンを受け入れるように構成された開口部を含む、上記項目のうちのいずれか１項に記載の縫合糸パッケージ。
（項目１８）  
上記カバーは、縫合糸装填装置の据え付けピンを係合するための開口部を含む、上記項目のうちのいずれか１項に記載の縫合糸パッケージ。
【００１０】
（摘要）
有棘縫合糸を保持するための縫合糸パッケージが、提供される。縫合糸パッケージは、外側壁と内側壁とを含む縫合糸保持部材を含む。内側壁は、外側壁から放射状に間隔を置かれ、そして、外側壁と内側壁との間に縫合糸保持範囲を画定している。内側壁は、針保持範囲を画定し、そして、内側壁の中に少なくとも１つの開口部を含み、開口部を通る少なくとも１つの縫合糸の受け取りを可能にする。外側壁は、内側に延びる複数のタブを含み、該内側に延びる複数のタブは、カバーを係合するように構成されている。縫合糸パッケージはさらに、カバーを含む、該カバーは、縫合糸保持部材の外側壁の中に受け入れられるように構成され、かつ、外側壁に形成された内側に延びるタブを選択的に係合するように構成されている。
【００１１】
本明細書の一部に組み込まれ、かつ、本明細書の一部を構成する添付の図面は、本開示の実施形態を例示し、そして、上で与えられた開示の一般的な記述、および以下で与えられる実施形態の詳細な記述と共に、本開示の原理を説明することを助ける。
【図面の簡単な説明】
【００１２】
【図１Ａ】図１Ａは、本開示の縫合糸パッケージの実施形態に従った縫合糸保持部材の斜視図である。
【図１Ｂ】図１Ｂは、図１の縫合糸保持部材のためのカバーの斜視図である。
【図２】図２は、有棘縫合糸を含む、図１Ａの縫合糸保持部材の斜視図である。
【図３】図３は、図１Ａの縫合糸保持部材と図１Ｂのカバーとを含む、本開示の実施形態に従った縫合糸パッケージの斜視図である。
【図４】図４は、本開示の別の実施形態に従った縫合糸パッケージの縫合糸保持部材の斜視図である。
【図５Ａ】図５Ａ〜図５Ｃは、本開示の縫合糸パッケージの別の実施形態に従った縫合糸保持部材の斜視図（図５Ａ）、上面図（図５Ｂ）、および側面図（図５Ｃ）である。
【図５Ｂ】図５Ａ〜図５Ｃは、本開示の縫合糸パッケージの別の実施形態に従った縫合糸保持部材の斜視図（図５Ａ）、上面図（図５Ｂ）、および側面図（図５Ｃ）である。
【図５Ｃ】図５Ａ〜図５Ｃは、本開示の縫合糸パッケージの別の実施形態に従った縫合糸保持部材の斜視図（図５Ａ）、上面図（図５Ｂ）、および側面図（図５Ｃ）である。
【発明を実施するための形態】
【００１３】
以下の記述は、縫合糸パッケージの様々な実施形態を記述する。第１の端におけるエンドエフェクタ６と、反対側の端における針７と、縫合糸の長さに沿って形成された棘８とを有する有棘縫合糸５（図２）に継続的に参照が行われるが、本開示の局面は、あらゆる構成の縫合糸と使用するために改変され得、そして、本明細書において記述される実施形態に限定されるべきではないということが、想定されている。
【００１４】
図１Ａおよび図１Ｂを参照すると、縫合糸パッケージ１００（図３）は、実質的に硬い縫合糸保持部材１０（図１Ａ）と、カバー３０（図１Ｂ）とを含む。縫合糸保持部材１０は、ポリマーまたは他の適切な材料から構成され得る。縫合糸保持部材１０は、１つ以上の有棘縫合糸５（図２）を保持するように構成されている。カバー３０は、縫合糸保持部材１０を選択的に係合するように構成され、それにより、縫合糸保持部材１０で縫合糸５を維持するための閉鎖された縫合糸保持範囲１５を作り出す。
【００１５】
図１Ｂを参照すると、カバー３０は、実質的に平坦な部材３２を画定し、該実質的に平坦な部材３２は、縫合糸保持部材１０を選択的に係合するように構成されている。示されているように、カバー３０は、実質的に円形の構成を画定するが、カバー３０は、楕円構成、八角形構成、および長方形構成を含む任意の構成の縫合糸保持部材に適合するように形成され得る。カバー３０は、板紙、厚紙、やや柔軟なプラスチック、およびその他任意の適切な材料で形成され得る。カバー３０は、１つ以上のタブ３４を含む。以下でさらに詳細に考察されるように、タブ３４は、縫合糸保持部材１０からのカバー３０の分離を容易にするようにユーザによって係合するように構成されている。
【００１６】
依然として図１Ｂを参照すると、カバー３０はまた、カットアウトまたは窓３５（幻影線で示されている）を含み得る。カットアウト３５は、縫合糸保持部材１０に位置決めされたしるしを見るために構成され、および／または縫合糸保持部材１０の中身を見るために構成されている。あるいは、またはさらに、カットアウト３５は、縫合糸保持部材１０からのカバー３０の取り外しを容易にするようにユーザによって係合するように構成され得る。カバー３０はさらに、カバー３０の周囲に放射状に間隔を置かれた複数の開口部３６（幻影線で示されている）を含み得る。以下でさらに詳細に考察されるように、開口部３６は、縫合糸保持部材１０に形成された開口部２６と整列され、そして、縫合糸装填装置（図示せず）の据え付けピン（同様に図示せず）を係合するようなサイズにされている。
【００１７】
図１Ａを参照すると、縫合糸保持部材１０は、実質的に平坦な基部１２と、外側壁１４と、内側壁１６とを含む。外側壁１４は、縫合糸保持部分１５の第１の壁を画定するように基部１２の周囲に延びている。内側壁１６は、外側壁１４の半径方向内側に間隔を置かれている。内側壁１６は、縫合糸保持部分１５を画定する第２の壁を形成している。針保持範囲１７が、内側壁１６の内側に形成されている。一実施形態において、針置き場１７ａが、平坦な基部１２と一体で形成されている。針置き場１７ａは、様々なサイズおよび様々な構成の１つ以上の縫合針を受け入れるように構成され得る。代替の実施形態において、針置き場１７ａは、接着剤、糊、超音波溶接などを使用して平坦な基部１２に固定され得る。別の実施形態において、縫合針７（図２）は、針保持範囲１７の中にそのまま受け入れられ得る。
【００１８】
依然として図１Ａを参照すると、外側壁１４は、内側に延びる複数のタブ１８を含み、該内側に延びる複数のタブ１８は、外側壁１４の上表面１４ａに形成されている。タブ１８は、カバー３０が、外側壁１４の中に受け入れられたときに、カバー３０を係合するように構成されている。切り込みのある部分または窪んだ部分１９が、外側壁１４の上表面１４ａに形成されている。以下でさらに詳細に考察されるように、窪んだ部分１９は、カバー３０が、外側壁１４のタブ１８と係合されたときに、カバー３０のタブ３４を受け入れるように構成されている。
【００１９】
依然として図１Ａを参照すると、上で考察されたように、内側壁１６は、縫合糸保持範囲１５を形成するために外側壁１４から放射状に間隔を置かれている。外側壁１４からの内側壁１６の距離が大きくなると、縫合糸保持範囲１５が広くなる。縫合糸保持範囲１５は、１つ以上の縫合糸５（図２）を受け入れるように構成され得る。内側壁１６は、間隔を置かれた一連の突起２４によって形成されている。突起２４のうちの少なくとも１つは、スロット２４ａを含み、一部の実施形態において、該スロット２４ａは、縫合糸５の遠位端６を受け入れるように構成され得る。突起２４のうちの少なくとも１つは、内側に湾曲された突起２５を含み、該内側に湾曲された突起２５は、針保持範囲１７に開口部２５ａを形成するように構成されている。このようにして、縫合糸５の本体部分が、縫合糸保持範囲１５の中に保持されると、針７を含む縫合糸５の端が、開口部２５ａを通って受け入れられ得るので、針７は、針保持範囲１７の中に受け入れられ得る。突起２４は、カバー３０が、外側壁１４のタブ１８と選択的に係合されたとき（図３）に、カバー３０を支持するために充分な高さのものである。このようにして、縫合糸５は、針保持範囲１５の中に保持されると、棘８は、カバー３０が、縫合糸保持部材１０と選択的に係合されたときには、カバー３０によって平坦にされない。
【００２０】
依然として図１Ａを参照すると、縫合糸保持部材１０はさらに、平坦な基部１２の周囲に放射状に間隔を置かれた複数の開口部２６を含む。開口部２６は、縫合糸装填装置（図示せず）の据え付けピン（同様に図示せず）を係合するように構成されている。示されているように、開口部２６は、突起２４の間の空間に位置決めされ得るか、あるいは、開口部２６は、縫合糸保持範囲１５および／または針保持範囲１７において形成され得る。
【００２１】
ここで、縫合糸パッケージ１００の中への縫合糸５の装填が、図２を参照して詳細に記述される。縫合糸保持部材１０の中への縫合糸５の装填を容易にするために、縫合糸保持部材１０は、縫合糸装填装置（図示せず）上に受け入れられ得る。このようにして、縫合糸保持部材１０は、据え付けピン（図示せず）が、縫合糸保持部材１０に形成された開口部２６を係合するように、縫合糸装填装置上に置かれる。最初に、エンドエフェクタ６を含む縫合糸５の端が、平坦な基部１２から延びている突起２４のうちの１つの中に形成されたスロット２４ａの中に受け入れられる。あるいは、エンドエフェクタ６を含む縫合糸５の端は、縫合糸保持範囲１５の中にそのまま受け入れられ得る。
【００２２】
依然として図２を参照すると、次に、縫合糸５の本体部分は、縫合糸保持範囲１５の中に受け入れられる。次に、縫合糸５は、縫合糸保持範囲１５の中に縫合糸５を受け入れるために縫合糸保持部材１０の内側壁１６の周りに巻かれる。縫合糸５は、内側壁１６の周囲を時計回り方向に回転され得るか、またはその代わりに、示されているように、反時計回り方向に回転され得る。あるいは、縫合糸保持部材１０は、内壁１６の周囲に縫合糸５を巻くために、手動で、または縫合糸装填装置の動作によってのいずれかで時計回り方向に回転され得る。内側壁１６の周囲に巻かれる縫合糸５の方向は、概して、湾曲された突起２５の構成によって決定される。縫合糸５が、開口部２５ａを通って挿入され、湾曲された突起２５の周囲に巻きつけられることを可能にする方向に、縫合糸５は、巻かれる。このようにして、縫合糸５は、折れること、または折り重なることを防がれ、そして、針７が、針保持範囲１７の中に受け入れられる。縫合糸５は、縫合糸５の長さに従って、一回以上、縫合糸保持部材１０の内側壁１６の周囲に巻かれ得る。
【００２３】
依然として図２を参照すると、縫合糸５の本体部分は、縫合糸保持範囲１５の中に受け入れられ、次に、針７を含む縫合糸５の端部分が、針７が針保持範囲１７の中に受け入れられるように、湾曲された突起２５によって形成された開口部２５ａを通って受け入れられる。次に、針７は、針置き場１７ａと選択的に係合される。
【００２４】
ここで図３を参照すると、縫合糸５が、縫合糸保持部材１０の縫合糸保持範囲１５の中に受け入れられると、カバー３０が、縫合糸保持部材１０の上に置かれる。縫合糸装填装置（図示せず）が、使用されるときには、縫合糸保持部材１０に形成された開口部２６を通って延びる整列ピン（図示せず）が、縫合糸保持部材１０の窪んだ部分１９とカバー３０のタブ３４を整列させる。縫合糸装填装置がない場合には、カバー３０のタブ３４は、縫合糸保持部材１０の窪んだ部分１９と手動で整列されなければならない。縫合糸保持部材１０の中にカバー３０を固定するために、カバー３０の外側リムが、縫合糸保持部材１０の外側壁１４上に形成された内側に延びるタブ１８の下に受け入れられる。このようにして、カバー３０は、縫合糸保持範囲１５の中に縫合糸５を固定し、そして、針保持範囲１７の中に針７を固定するように内側壁１６の上表面を係合する。次に、縫合糸パッケージ１００が、縫合糸装填装置から取り外され、そして、滅菌パッケージング（図示せず）の中に密封してシールされ得る。
【００２５】
縫合糸パッケージング１００から縫合糸５を取り外すために、最初に、縫合糸パッケージング１００は、それが入れられ得るあらゆるパッケージングから取り外される。次に、臨床医は、カバー３０上に形成されたタブ３４を把持しながら、外側壁１４の周囲において第１の手で縫合糸保持部材１０を持つ。臨床医によるタブ３４の係合が、外側壁１４とタブ３４の重複によって容易にされる。次に、カバー３０のタブ３４は、外側壁１４上に形成された内側に延びるタブ１８からカバー３０を係合解除するために、縫合糸保持部材１０から離れるように引張られ、それにより、縫合糸保持部材１０からカバー３０を離し、そして、縫合糸５を露出させる。代替の実施形態において、臨床医が、縫合糸保持部材１０からカバー３０を離すためにカットアウト３５を通ってカバー３０の中に１本以上の指を挿入する。
【００２６】
次に、臨床医は、針置き場１７ａから針７を取り外すために、手によって、または鉗子もしくは他の把持器具を用いて針７を手動で把持し得る。針７を継続して引張ることが、縫合糸５を開口部２５ａから引き抜かせ、そして、縫合糸保持部分１５から解放させる。エンドエフェクタ６を含む縫合糸５の端が、突起２４のスロット２４ａの中に固定される場合には、臨床医は、縫合糸保持部材１０から縫合糸５を手動で離さなければならないことがあり得、固定されない場合には、縫合糸５は、もつれさせられることなく、縫合糸保持範囲１５から容易に引き抜かれる。
【００２７】
ここで、図４を参照すると、縫合糸保持部材の代替の実施形態が、概略的に縫合糸保持部材２１０として示されている。縫合糸保持部材２１０は、実質的に、縫合糸保持部材１０と同様である。したがって、以下の考察は、それらの間の差異だけに関する。同様な参照番号は、実施形態全体を通して同様な構造を指している。縫合糸保持部材２１０は、カバー３０の内側対向表面（図示せず）上に印刷されたしるしを見ることを可能にする充分なサイズの開口部２２７を含む。縫合糸保持部材２１０はさらに、１つ以上の縫合針７を受け入れるように構成された発泡部材２１７ａを含む。
【００２８】
図５Ａ〜図５Ｃを参照すると、本開示の別の実施形態に従った縫合糸保持部材が、概略的に縫合糸保持部材３１０として示されている。縫合糸保持部材３１０は、実質的に、本明細書において上で記述された縫合糸保持部材１０および縫合糸保持部材２１０と同様である。縫合糸保持部材３１０は、環状内側壁３１６を含み、該環状内側壁３１６は、一連のスロットまたは開口部３２４ａを画定している。スロット３２４ａは、内側壁３１６の周りに巻きつけられている縫合糸の第１の端および／または第２の端を受け入れるように構成されている。スロット３２４ａを通って縫合糸の第１の端および／または第２の端を置くことが、縫合糸保持部材３１０からの縫合糸の取り外しを容易にする。縫合糸保持部材３１０は、内側壁３１６の周囲に縫合糸を保持するために紙または板紙のカバー（図示せず）を選択的に係合するように構成されている。
【００２９】
本開示の例示的な実施形態が、添付の図面を参照にして記述されてきたが、本開示は、それらの正確な実施形態に限定されないということと、様々な他の変更および改変が、本開示の範囲と精神とから逸脱することなく、当業者によってもたらされ得るということとが、理解されるべきである。
【符号の説明】
【００３０】
７  縫合針
８  棘
１０  縫合糸保持部材
１４  外側壁
１５  縫合糸保持範囲
１６  内側壁
１７  針保持範囲
１７ａ  針置き場
１８  タブ
１９  窪んだ部分
３０  カバー
１００  縫合糸パッケージ
【図１Ａ】
2010082463.tif 000003
【図１Ｂ】
2010082463.tif 000004
【図２】
2010082463.tif 000005
【図３】
2010082463.tif 000006
【図４】
2010082463.tif 000007
【図５Ａ】
2010082463.tif 000008
【図５Ｂ】
2010082463.tif 000009
【図５Ｃ】
2010082463.tif 000010